(57)【要約】【課題】  動画の編集を簡単に行うことができるようにする。【解決手段】  処理Ｓ１００に基づき、図３（ａ）に示した録画データでは、第４のチャプタを選択する。処理Ｓ１０１に移り、選択したチャプタは第４のチャプタであるため、チャプタの番号Ｎの値を４とする。処理Ｓ１０２に移り、チャプタの番号Ｎを採用するか否かを出力部２にダイアログを出して、ユーザに求める。第４のチャプタはＣＭではないため、図１に示した入力部１を介してユーザから、第４のキャプチャを採用する旨の指示を受け取り、処理Ｓ１０５に移る。チャプタの番号Ｎは４であり、チャプタの番号が偶数のチャプタであるために、処理Ｓ１０７に移り、偶数のチャプタをすべて時系列に採用して、ＣＭ以外の所望のチャプタである第２のチャプタと第４のチャプタと第６のチャプタと第８のチャプタと第１０のチャプタとを得る。【選択図】  図３
2006074247.tif 000002
【特許請求の範囲】
【請求項１】
通し番号が振られた複数のチャプタに分割された動画データ、又は一つのチャプタを持つ動画データの任意のチャプタを選択する選択手段と、
前記選択手段により選択されたチャプタの番号を取得する番号取得手段と、
前記番号取得手段により取得されたチャプタを採用するか否かをユーザに問い合わせるための出力手段と、
前記出力手段による問い合わせに基づいて、前記番号取得手段により取得されたチャプタを採用するか否かの入力情報をユーザから得る入力手段と、
前記動画データ内のチャプタの総数を得るチャプタ総数取得手段と、
前記入力手段により、前記番号取得手段により取得されたチャプタを採用しない旨を表す入力情報が得られた場合に、前記動画データのチャプタの総数が一つかどうかを比較する比較手段と、
前記比較手段により、前記動画データのチャプタの総数が一つとされた場合は、処理を停止する処理停止手段と、
前記比較手段により、前記動画データのチャプタの総数が一つ以上とされた場合は、前記番号取得手段により取得された番号が奇数かどうかを判定する第１の判定手段と、
前記第１の判定手段により、前記番号取得手段により取得された番号が奇数と判定された場合は、前記動画データ内の偶数番号のチャプタを時系列に全て採用して編集結果とする第１の編集手段と、
前記入力手段により、前記番号取得手段により取得されたチャプタを採用する旨を表す入力情報が得られた場合に、前記番号取得手段により取得された番号が奇数かどうかを判定する第２の判定手段と、
前記第２の判定手段により、前記番号取得手段により取得された番号が奇数と判定された場合は、動画データ内の奇数番号のチャプタを時系列に全て採用して編集結果とする第２の編集手段とを備え、
前記第１の編集手段は、前記第２の判定手段により、前記番号取得手段により取得された番号が偶数と判定された場合は、動画データ内の偶数番号のチャプタを時系列に全て採用し編集結果とし、
前記第２の編集手段は、前記第１の判定手段により、前記第１の判定手段により、前記番号取得手段により取得された番号が偶数と判定された場合は、動画データ内の奇数番号のチャプタを時系列に全て採用して編集結果とすることを特徴とする動画編集装置。
【請求項２】
通し番号が振られた複数のチャプタに分割された動画データ、又は一つのチャプタを持つ動画データの任意のチャプタを選択する選択手段と、
前記選択手段により選択されたチャプタの番号を取得する番号取得手段と、
前記番号取得手段により取得された番号が奇数かどうかを判定する奇数判定手段と、
前記奇数判定手段により、前記番号取得手段により取得された番号が奇数と判定された場合は、前記動画データ内の奇数番号のチャプタを時系列に全て採用して編集結果とする第１の編集手段と、
前記奇数判定手段により、前記番号取得手段により取得された番号が偶数と判定された場合は、前記動画データ内の偶数番号のチャプタを時系列に全て採用して編集結果とする第２の編集手段とを備えることを特徴とする動画編集装置。
【請求項３】
前記選択手段により選択されたチャプタの長さを得る長さ取得手段と、
前記長さ取得手段により得られた長さが、あらかじめ定められた規定値より長いかどうかを判定する長さ判定手段とを備え、
前記出力手段は、前記長さ判定手段により前記長さ取得手段により得られた長さが、あらかじめ定められた規定値より長いと判定された場合に、前記番号取得手段により取得されたチャプタを採用するか否かをユーザに問い合わせ、
前記第２の判定手段は、前記長さ判定手段により前記長さ取得手段により得られた長さが、あらかじめ定められた規定値より長くないと判定された場合にも、前記番号取得手段により取得された番号が奇数かどうかを判定することを特徴とする請求項１に記載の動画編集装置。
【請求項４】
通し番号が振られた複数のチャプタに分割された動画データ、又は一つのチャプタを持つ動画データの一つ目のチャプタを選択する選択手段と、
前記選択手段により選択された一つ目のチャプタを採用するか否かをユーザに問い合わせるための出力手段と、
前記出力手段による問い合わせに基づいて、前記番号取得手段により取得されたチャプタを採用するか否かの入力情報をユーザから得る入力手段と、
前記動画データ内のチャプタの総数を得るチャプタ総数取得手段と、動画データ内のチャプタの総数を得る手段と、
前記入力手段により、前記番号取得手段により取得されたチャプタを採用しない旨を表す入力情報が得られた場合に、前記動画データのチャプタの総数が一つかどうかを比較する比較手段と、
前記比較手段により、前記動画データのチャプタの総数が一つとされた場合は、処理を停止する処理停止手段と、
前記比較手段により、前記動画データのチャプタの総数が一つ以上とされた場合は、前記動画データ内の偶数番号のチャプタを時系列に全て採用して編集結果とする第１の編集手段と、
前記入力手段により、前記番号取得手段により取得されたチャプタを採用する旨を表す入力情報が得られた場合は、前記動画データ内の奇数番号のチャプタを時系列に全て採用して編集結果とする第２の編集手段とを備えることを特徴とする動画編集装置。
【請求項５】
前記動画データの編集を行うモードがオンであるか否かを判定するモード判定手段を備え、
前記モード判定手段により、前記動画データの編集を行うモードがオンであると判定された場合には、前記選択手段により前記チャプタを選択して行う動画編集を行い、前記動画データの編集を行うモードがオンでないと判定された場合には、前記選択手段により前記チャプタを選択して行う動画編集とは異なる通常の動画編集を行うことを特徴とする請求項１〜４の何れか１項に記載の動画編集装置。
【請求項６】
前記動画データに付されているマークが、編集目的のためのものであるか、再生時に目的の場所にすばやくアクセスするためのものであるかの何れであるかを判定する分割内容判定手段と、
前記分割内容判定手段により、前記マークが編集目的のものであると判定された場合には、前記マークに従って複数のチャプタを作成し、前記分割内容判定手段により、前記マークが再生時に目的の場所にすばやくアクセスするためのものであると判定された場合には、そのマークが付されている位置で、長さがゼロのチャプタを生成するチャプタ作成手段と、
前記チャプタ作成手段により作成されたチャプタに通し番号を付与する通し番号付与手段とを備え、
前記選択手段は、前記通し番号付与手段により通し番号が付与されたチャプタを選択することを特徴とする請求項１〜５の何れか１項に記載の動画編集装置。
【請求項７】
通し番号が振られた複数のチャプタに分割された動画データ、又は一つのチャプタを持つ動画データの任意のチャプタを選択する選択ステップと、
前記選択ステップにより選択されたチャプタの番号を取得する番号取得ステップと、
前記番号取得ステップにより取得されたチャプタを採用するか否かをユーザに問い合わせるための出力ステップと、
前記出力ステップによる問い合わせに基づいて、前記番号取得ステップにより取得されたチャプタを採用するか否かの入力情報をユーザから得る入力ステップと、
前記動画データ内のチャプタの総数を得るチャプタ総数取得ステップと、
前記入力ステップにより、前記番号取得ステップにより取得されたチャプタを採用しない旨を表す入力情報が得られた場合に、前記動画データのチャプタの総数が一つかどうかを比較する比較ステップと、
前記比較ステップにより、前記動画データのチャプタの総数が一つとされた場合は、処理を停止する処理停止ステップと、
前記比較ステップにより、前記動画データのチャプタの総数が一つ以上とされた場合は、前記番号取得ステップにより取得された番号が奇数かどうかを判定する第１の判定ステップと、
前記第１の判定ステップにより、前記番号取得ステップにより取得された番号が奇数と判定された場合は、前記動画データ内の偶数番号のチャプタを時系列に全て採用して編集結果とする第１の編集ステップと、
前記入力ステップにより、前記番号取得ステップにより取得されたチャプタを採用する旨を表す入力情報が得られた場合に、前記番号取得ステップにより取得された番号が奇数かどうかを判定する第２の判定ステップと、
前記第２の判定ステップにより、前記番号取得ステップにより取得された番号が奇数と判定された場合は、動画データ内の奇数番号のチャプタを時系列に全て採用して編集結果とする第２の編集ステップと、
前記第２の判定ステップにより、前記番号取得ステップにより取得された番号が偶数と判定された場合は、動画データ内の偶数番号のチャプタを時系列に全て採用し編集結果とする第３の編集ステップと、
前記第１の判定ステップにより、前記番号取得ステップにより取得された番号が偶数と判定された場合は、動画データ内の奇数番号のチャプタを時系列に全て採用して編集結果とする第４の編集ステップとを備えることを特徴とする動画編集方法。
【請求項８】
通し番号が振られた複数のチャプタに分割された動画データ、又は一つのチャプタを持つ動画データの任意のチャプタを選択する選択ステップと、
前記選択ステップにより選択されたチャプタの番号を取得する番号取得ステップと、
前記番号取得ステップにより取得された番号が奇数かどうかを判定する奇数判定ステップと、
前記奇数判定ステップにより、前記番号取得ステップにより取得された番号が奇数と判定された場合は、前記動画データ内の奇数番号のチャプタを時系列に全て採用して編集結果とする第１の編集ステップと、
前記奇数判定ステップにより、前記番号取得ステップにより取得された番号が偶数と判定された場合は、前記動画データ内の偶数番号のチャプタを時系列に全て採用して編集結果とする第２の編集ステップとを備えることを特徴とする動画編集方法。
【請求項９】
前記選択ステップにより選択されたチャプタの長さを得る長さ取得ステップと、
前記長さ取得ステップにより得られた長さが、あらかじめ定められた規定値より長いかどうかを判定する長さ判定ステップとを備え、
前記出力ステップは、前記長さ判定ステップにより前記長さ取得ステップにより得られた長さが、あらかじめ定められた規定値より長いと判定された場合に、前記番号取得ステップにより取得されたチャプタを採用するか否かをユーザに問い合わせ、
前記第２の判定ステップは、前記長さ判定ステップにより前記長さ取得ステップにより得られた長さが、あらかじめ定められた規定値より長くないと判定された場合にも、前記番号取得ステップにより取得された番号が奇数かどうかを判定することを特徴とする請求項７に記載の動画編集方法。
【請求項１０】
通し番号が振られた複数のチャプタに分割された動画データ、又は一つのチャプタを持つ動画データの一つ目のチャプタを選択する選択ステップと、
前記選択ステップにより選択された一つ目のチャプタを採用するか否かをユーザに問い合わせるための出力ステップと、
前記出力ステップによる問い合わせに基づいて、前記番号取得ステップにより取得されたチャプタを採用するか否かの入力情報をユーザから得る入力ステップと、
前記動画データ内のチャプタの総数を得るチャプタ総数取得ステップと、動画データ内のチャプタの総数を得るステップと、
前記入力ステップにより、前記番号取得ステップにより取得されたチャプタを採用しない旨を表す入力情報が得られた場合に、前記動画データのチャプタの総数が一つかどうかを比較する比較ステップと、
前記比較ステップにより、前記動画データのチャプタの総数が一つとされた場合は、処理を停止する処理停止ステップと、
前記比較ステップにより、前記動画データのチャプタの総数が一つ以上とされた場合は、前記動画データ内の偶数番号のチャプタを時系列に全て採用して編集結果とする第１の編集ステップと、
前記入力ステップにより、前記番号取得ステップにより取得されたチャプタを採用する旨を表す入力情報が得られた場合は、前記動画データ内の奇数番号のチャプタを時系列に全て採用して編集結果とする第２の編集ステップとを備えることを特徴とする動画編集方法。
【請求項１１】
前記動画データの編集を行うモードがオンであるか否かを判定するモード判定ステップを備え、
前記モード判定ステップにより、前記動画データの編集を行うモードがオンであると判定された場合には、前記選択ステップにより前記チャプタを選択して行う動画編集を行い、前記動画データの編集を行うモードがオンでないと判定された場合には、前記選択ステップにより前記チャプタを選択して行う動画編集とは異なる通常の動画編集を行うことを特徴とする請求項７〜１０の何れか１項に記載の動画編集方法。
【請求項１２】
前記動画データに付されているマークが、編集目的のためのものであるか、再生時に目的の場所にすばやくアクセスするためのものであるかの何れであるかを判定する分割内容判定ステップと、
前記分割内容判定ステップにより、前記マークが編集目的のものであると判定された場合には、前記マークに従って複数のチャプタを作成し、前記分割内容判定ステップにより、前記マークが再生時に目的の場所にすばやくアクセスするためのものであると判定された場合には、そのマークが付されている位置で、長さがゼロのチャプタを生成するチャプタ作成ステップと、
前記チャプタ作成ステップにより作成されたチャプタに通し番号を付与する通し番号付与ステップとを備え、
前記選択ステップは、前記通し番号付与ステップにより通し番号が付与されたチャプタを選択することを特徴とする請求項７〜１１の何れか１項に記載の動画編集方法。
【請求項１３】
通し番号が振られた複数のチャプタに分割された動画データ、又は一つのチャプタを持つ動画データの任意のチャプタを選択する選択ステップと、
前記選択ステップにより選択されたチャプタの番号を取得する番号取得ステップと、
前記番号取得ステップにより取得されたチャプタを採用するか否かをユーザに問い合わせるための出力ステップと、
前記出力ステップによる問い合わせに基づいて、前記番号取得ステップにより取得されたチャプタを採用するか否かの入力情報をユーザから得る入力ステップと、
前記動画データ内のチャプタの総数を得るチャプタ総数取得ステップと、
前記入力ステップにより、前記番号取得ステップにより取得されたチャプタを採用しない旨を表す入力情報が得られた場合に、前記動画データのチャプタの総数が一つかどうかを比較する比較ステップと、
前記比較ステップにより、前記動画データのチャプタの総数が一つとされた場合は、処理を停止する処理停止ステップと、
前記比較ステップにより、前記動画データのチャプタの総数が一つ以上とされた場合は、前記番号取得ステップにより取得された番号が奇数かどうかを判定する第１の判定ステップと、
前記第１の判定ステップにより、前記番号取得ステップにより取得された番号が奇数と判定された場合は、前記動画データ内の偶数番号のチャプタを時系列に全て採用して編集結果とする第１の編集ステップと、
前記入力ステップにより、前記番号取得ステップにより取得されたチャプタを採用する旨を表す入力情報が得られた場合に、前記番号取得ステップにより取得された番号が奇数かどうかを判定する第２の判定ステップと、
前記第２の判定ステップにより、前記番号取得ステップにより取得された番号が奇数と判定された場合は、動画データ内の奇数番号のチャプタを時系列に全て採用して編集結果とする第２の編集ステップと、
前記第２の判定ステップにより、前記番号取得ステップにより取得された番号が偶数と判定された場合は、動画データ内の偶数番号のチャプタを時系列に全て採用し編集結果とする第３の編集ステップと、
前記第１の判定ステップにより、前記番号取得ステップにより取得された番号が偶数と判定された場合は、動画データ内の奇数番号のチャプタを時系列に全て採用して編集結果とする第４の編集ステップとをコンピュータに実行させるためのコンピュータプログラムを記録したことを特徴とするコンピュータ読み取り可能な記録媒体。
【請求項１４】
通し番号が振られた複数のチャプタに分割された動画データ、又は一つのチャプタを持つ動画データの任意のチャプタを選択する選択ステップと、
前記選択ステップにより選択されたチャプタの番号を取得する番号取得ステップと、
前記番号取得ステップにより取得された番号が奇数かどうかを判定する奇数判定ステップと、
前記奇数判定ステップにより、前記番号取得ステップにより取得された番号が奇数と判定された場合は、前記動画データ内の奇数番号のチャプタを時系列に全て採用して編集結果とする第１の編集ステップと、
前記奇数判定ステップにより、前記番号取得ステップにより取得された番号が偶数と判定された場合は、前記動画データ内の偶数番号のチャプタを時系列に全て採用して編集結果とする第２の編集ステップとをコンピュータに実行させるためのコンピュータプログラムを記録したことを特徴とするコンピュータ読み取り可能な記録媒体。
【請求項１５】
前記選択ステップにより選択されたチャプタの長さを得る長さ取得ステップと、
前記長さ取得ステップにより得られた長さが、あらかじめ定められた規定値より長いかどうかを判定する長さ判定ステップとを更にコンピュータに実行させるためのコンピュータプログラムを記録し、
前記出力ステップは、前記長さ判定ステップにより前記長さ取得ステップにより得られた長さが、あらかじめ定められた規定値より長いと判定された場合に、前記番号取得ステップにより取得されたチャプタを採用するか否かをユーザに問い合わせ、
前記第２の判定ステップは、前記長さ判定ステップにより前記長さ取得ステップにより得られた長さが、あらかじめ定められた規定値より長くないと判定された場合にも、前記番号取得ステップにより取得された番号が奇数かどうかを判定することを特徴とする請求項１３に記載のコンピュータ読み取り可能な記録媒体。
【請求項１６】
通し番号が振られた複数のチャプタに分割された動画データ、又は一つのチャプタを持つ動画データの一つ目のチャプタを選択する選択ステップと、
前記選択ステップにより選択された一つ目のチャプタを採用するか否かをユーザに問い合わせるための出力ステップと、
前記出力ステップによる問い合わせに基づいて、前記番号取得ステップにより取得されたチャプタを採用するか否かの入力情報をユーザから得る入力ステップと、
前記動画データ内のチャプタの総数を得るチャプタ総数取得ステップと、動画データ内のチャプタの総数を得るステップと、
前記入力ステップにより、前記番号取得ステップにより取得されたチャプタを採用しない旨を表す入力情報が得られた場合に、前記動画データのチャプタの総数が一つかどうかを比較する比較ステップと、
前記比較ステップにより、前記動画データのチャプタの総数が一つとされた場合は、処理を停止する処理停止ステップと、
前記比較ステップにより、前記動画データのチャプタの総数が一つ以上とされた場合は、前記動画データ内の偶数番号のチャプタを時系列に全て採用して編集結果とする第１の編集ステップと、
前記入力ステップにより、前記番号取得ステップにより取得されたチャプタを採用する旨を表す入力情報が得られた場合は、前記動画データ内の奇数番号のチャプタを時系列に全て採用して編集結果とする第２の編集ステップとをコンピュータに実行させるためのコンピュータプログラムを記録したことを特徴とするコンピュータ読み取り可能な記録媒体。
【請求項１７】
前記動画データの編集を行うモードがオンであるか否かを判定するモード判定ステップを更にコンピュータに実行させるためのコンピュータプログラムを記録し、
前記モード判定ステップにより、前記動画データの編集を行うモードがオンであると判定された場合には、前記選択ステップにより前記チャプタを選択して行う動画編集を行い、前記動画データの編集を行うモードがオンでないと判定された場合には、前記選択ステップにより前記チャプタを選択して行う動画編集とは異なる通常の動画編集を行うことを特徴とする請求項１３〜１６の何れか１項に記載のコンピュータ読み取り可能な記録媒体。
【請求項１８】
前記動画データに付されているマークが、編集目的のためのものであるか、再生時に目的の場所にすばやくアクセスするためのものであるかの何れであるかを判定する分割内容判定ステップと、
前記分割内容判定ステップにより、前記マークが編集目的のものであると判定された場合には、前記マークに従って複数のチャプタを作成し、前記分割内容判定ステップにより、前記マークが再生時に目的の場所にすばやくアクセスするためのものであると判定された場合には、そのマークが付されている位置で、長さがゼロのチャプタを生成するチャプタ作成ステップと、
前記チャプタ作成ステップにより作成されたチャプタに通し番号を付与する通し番号付与ステップとを更にコンピュータに実行させるためのコンピュータプログラムを記録し、
前記選択ステップは、前記通し番号付与ステップにより通し番号が付与されたチャプタを選択することを特徴とする請求項１３〜１７の何れか１項に記載のコンピュータ読み取り可能な記録媒体。
【請求項１９】
通し番号が振られた複数チャプタに分割された動画データを編集する動画編集方法において、
前記チャプタに対する選択情報を収集する工程と、
この収集されたチャプタを採用して編集する工程とを有することを特徴とする動画編集方法。
【発明の詳細な説明】
【技術分野】
【０００１】
本発明は、動画編集装置、動画編集方法、及びコンピュータ読み取り可能な記録媒体に関し、特に動画像を編集するために用いて好適なものである。
【背景技術】
【０００２】
最近、ハードディスク及び記録可能なＤＶＤに、ビデオの替わりにＭＰＥＧ２などの圧縮方式で圧縮されたファイルとして録画できる装置が存在する。
それら装置のうちのいくつかは録画したデータを編集できる機能を持っているものもある。編集のためには、まず、データをいくつかの区切りに分割しておかなければならない。具体的に説明すると、例えば、データの中で必要な部分と不必要な部分とに分割したり、入れ替える部分と入れ替えない部分とに分割したり、複写する部分と複写しない部分とに分割したりする。
【０００３】
このような分割の例として、特開２００２−１５２６６６号公報にあるように、まず、テレビ画面の一部の領域に録画したデータ（以下、タイトルと呼ぶ）を表示させ、編集を行いたい部分にマークを打つ感覚でチャプタの分割を行い、分割したいくつかのチャプタをそのタイトル内部で時系列に通し番号をふっておき、それぞれの分割部分のサムネイルをテレビ画面の一部の領域に表示するものがある。このようにしてチャプタの分割を行った後に、編集のために採用したいチャプタを取り出して結合することで録画したデータの編集が可能である。このように従来の方法では、分割されたチャプタを編集時に時系列ではなく好きな位置に配置したり、チャプタを複写したりといった編集が可能である。
【０００４】
【特許文献１】特開２００２−１５２６６６号公報
【発明の開示】
【発明が解決しようとする課題】
【０００５】
ところで、実際に録画したデータを編集するときには、ＣＭカットなど、不必要な部分を抜いて、時系列に編集することが多い。
しかしながら、前述した従来の方法では、このような場合、不必要な部分を抜く為に、必要な部分を一つ一つ全て選び出して結合しなければならなく大変であった。
【０００６】
本発明は、前述の問題点に鑑みてなされたものであり、動画像の編集を簡単に行うことができるようにすることを目的とする。
【課題を解決するための手段】
【０００７】
上記課題を解決するために本発明は、通し番号が振られた複数チャプタに分割された動画データを編集する動画編集方法において、前記チャプタに対する選択情報を収集する工程と、この収集されたチャプタを採用して編集する工程とを有することを特徴とする動画編集方法等、を提供する。
【発明の効果】
【０００８】
本発明によれば、実際にユーザが多く行うＣＭカットなど、不必要な部分を抜いて、時系列に動画を編集する場合に、必要な部分を一つ選び、後は一つ飛びにチャプタを自動的に時系列に選び出すことで、正確且つ簡単に動画を編集することが可能になる。
また、編集用のチャプタ分割ではなく、再生時にすばやく目的の場所に飛ぶ為のマークとしてのチャプタ分割がなされている場合にも、正確且つ簡単に動画を編集することが可能になる。
【発明を実施するための最良の形態】
【０００９】
以下、添付図面に従って、本発明の実施形態について説明する。
（第１の実施形態）
図1は、本発明の第１の実施形態を示す画像編集装置の構成を説明するブロック図であり、ハードディスクレコーダの例を示している。
図1において、１は、中央処理演算装置であり、各機能ブロックの制御を行う。２は、出力部であり、液晶モニタやＴＶのブラウン管などで構成される。３は、入力部であり、ハードディスクレコーダの本体のボタンや、リモコンのボタンからの入力を扱う。
【００１０】
４は、画像デコーダ部であり、ハードディスク７やディスクドライブ８からの画像データのデコードを行う。５は、画像エンコーダ部であり、Ａ／Ｖ入力部９からのデータをエンコードする。８は、ディスクドライブ（記録装置）であり、ハードディスクや、ディスクドライブ、主にＤＶＤ−ＲＡＭやＤＶＤ−Ｒなどの書き込みのできるドライブや着脱式のメモリなどである。９は、Ａ／Ｖ入力部であり、外部からのオーディオ／ビデオの入力を扱う。１０は、ＴＶチューナである。１１は、主記憶装置であり、主に半導体メモリで構成される。６は、データプロセッサである。
【００１１】
本実施形態は、特開２００２−１５２６６６号公報などで示される方法で、編集を行う目的で動画像データを複数のチャプタに分割を行い、本実施形態の簡単な動画編集を行うモードがオンになっているとする。一方、そのモードがオフになっている場合には、通常の動画編集を行う。
【００１２】
画像編集装置の処理動作の一例を、図２のフローチャートを用いて説明する。
まず、処理Ｓ１００で、任意のチャプタを選択する。次に処理Ｓ１０１で、そのチャプタの番号を得る。この処理Ｓ１０１で得たチャプタの番号をＮとする。そして、処理Ｓ1０２で、そのチャプタの番号Ｎを採用するかどうかを図1の入力部３を介して得る。
チャプタの番号Ｎを採用しない場合は、処理Ｓ１０３に移り、チャプタの総数が１つかどうかを判定する。この判定の結果、チャプタの総数が１つの場合は、処理を終える。一方、チャプタの総数が１つ以上の場合には、処理Ｓ１０４に移り、チャプタの番号Ｎが奇数かどうかを判定する。
【００１３】
この判定の結果、チャプタの番号Ｎが奇数であれば、処理Ｓ１０７に移り、チャプタの番号が偶数のチャプタを全て採用して処理を終える。一方、処理Ｓ１０４で、チャプタの番号が偶数Ｎであると判定された場合は、処理Ｓ１０６に移り、チャプタの番号が奇数のチャプタを全て採用して処理を終える。
【００１４】
前記処理Ｓ１０２において、チャプタの番号Ｎを採用する場合は、処理Ｓ１０５に移り、チャプタの番号Ｎが奇数かどうかを判定する。この判定の結果、チャプタの番号Ｎが奇数であった場合は、処理Ｓ１０６に移り、チャプタの番号が偶数のチャプタを時系列に全て採用して、処理を終える。
一方、処理Ｓ１０５において、チャプタの番号Ｎが偶数であった場合は、処理Ｓ１０７に移り、チャプタの番号が奇数のチャプタを時系列に全て採用して、処理を終える。
【００１５】
この処理を終えた時点で、採用したチャプタを全て結合して一つの動画データとしてもよいし、採用したチャプタ番号Ｎをリストとして記憶しておき、後で、記録可能なＤＶＤなどに保存する際に、リスト通りにデータを集めてきて結合して保存しても良い。すなわち、本実施形態では、どの時点で編集結果を保存するかに関しては特に問わない。
【００１６】
ここで、図３を用いて、図２に示したフローチャートに基づく編集動作の具体例について説明する。
図３（ａ）では、編集のために、録画データにはすでに１０個のマークが打たれていて、１１個のチャプタに分割されている。録画データは、ＴＶ放送のドラマを録画したものであり、ＣＭ（コマーシャル）で始まり（第１のチャプタ）、始まりの歌が入り（第２のチャプタ）、ＣＭが入り（第３のチャプタ）、前半の本編が始まり（第４のチャプタ）、後半の本編との間のＣＭが入り（第５のチャプタ）、後半の本編が始まる（第６のチャプタ）。そしてＣＭが入り（第７のチャプタ）、終わりの歌が入り（第８のチャプタ）、またＣＭが入り（第９のチャプタ）、次の回の予告が入り（第１０のチャプタ）、最後にＣＭが入ったところ（第１１のチャプタ）で録画が終了している。
【００１７】
ここで、この図３（ａ）に示した録画データからＣＭの部分をカットして、図３（ｂ）に示すような編集後のデータを得たいとする。従来は、ＣＭ以外の第２のチャプタと第４のチャプタと第６のチャプタと第８のチャプタと第１０のチャプタとを一つ一つ選んでこれらのチャプタを再配置して編集していたが、本実施形態の方式を用いれば、採用する場所を一箇所選び出すだけで、後は自動的に編集することが可能である。
【００１８】
すなわち、図２に示したフローチャートの処理Ｓ１００に基づき、図３（ａ）に示した録画データでは、第４のチャプタを選択する。そして、処理Ｓ１０１に移り、先に選択したチャプタは第４のチャプタであるため、チャプタの番号Ｎの値を４とする。処理Ｓ１０２に移り、チャプタの番号Ｎ(第４のチャプタ)を採用するか否かを図１に示した出力部２に「このチャプタを採用しますか？  採用する…決定ボタン，採用しない…キャンセルボタン」のようなダイアログ（メッセージボックス）を出すなどして、ユーザに求める。
【００１９】
第４のチャプタはＣＭではないため、図１に示した入力部１を介してユーザから、第４のキャプチャを採用する旨の指示を受け取り、処理Ｓ１０５に移る。チャプタの番号Ｎは４であり、チャプタの番号が偶数のチャプタであるために、処理Ｓ１０７に移り、偶数のチャプタをすべて時系列に採用して、ＣＭ以外の所望のチャプタである第２のチャプタと第４のチャプタと第６のチャプタと第８のチャプタと第１０のチャプタとを得ることができる。
【００２０】
このように、本実施形態の方式によれば、編集を行い採用したいチャプタの全てを選び出さずとも、一つのチャプタを採用するか否かを決定するだけの操作で簡単にユーザの得たい編集結果を得ることができる。
【００２１】
（第２の実施形態）
前述した第１の実施形態では、図２の処理Ｓ１０２において、選択したチャプタを採用するか否かをユーザに求めたが、編集結果に採用するチャプタのうちのどれか一つをあらかじめ選択してもらうことにしておけば、図２に示したフローチャートの処理Ｓ１０２が不要になり、図４に示すフローチャートのように即座に次の処理に移ることが可能になる。
【００２２】
（第３の実施形態）
本実施形態は、前述した第２の実施形態と同様に第１の実施形態を改良したものである。
ＣＭカットの場合には、ＣＭの長さが決まっていて、本編よりは長さが短いはずであるため、ＣＭの長さの最大値以上のチャプタを選択した場合には、ＣＭ以外のものを選択したとみなす。このようにすれば、前述した第２の実施形態と同様に、前述した第１の実施形態における図２に示したフローチャートの処理Ｓ１０２が不要になり、選択されたチャプタを採用するチャプタとして自動的に処理を進めることができる。
【００２３】
しかしながら、ＣＭの長さの最大値以下のチャプタを選択した場合にはＣＭかどうかの判断が難しい。このため、採用するチャプタかどうかの判断をユーザに求める処理Ｓ１０２からの処理が必要になる。このことを、図５に示すフローチャート用いて説明すると、図２のフローチャートに処理Ｓ１０８が挿入される。すなわち、処理Ｓ１０１の次にチャプタの長さが規定値よりも長いかどうかを判定する処理Ｓ１０８が追加される。チャプタの長さが規定値（ＣＭの長さの最大値）よりも長い場合は、選択されたチャプタを採用するチャプタとみなして、処理Ｓ１０５に移り、短い場合は、ユーザに採用するかどうかを求める処理Ｓ１０２に移る。
【００２４】
このことを、図３（ａ）を用いてさらに説明する。今、前記規定値を、ＣＭの長さの最大値として５分とすると、選択された第４のチャプタは１２分のため、図５に示すフローチャートの処理Ｓ１０８で、第４のチャプタは、前記規定値より長くＣＭ以外と判断され、この第４のチャプタを採用して前述の通り、ＣＭを除いた第２のチャプタと第４のチャプタと第６のチャプタと第８のチャプタと第１０のチャプタとを編集後データ（図３（ｂ））として得ることができる。
【００２５】
これに対し、第４のチャプタの「前半本編」ではなく、第２のチャプタの「始まりの歌」(長さ２分)を選択したとすると、図５に示すフローチャートの処理Ｓ１０８で、第２のチャプタは、規定値の５分より短いため、ＣＭかどうかの判断ができず、処理Ｓ１０２に移り、第２のチャプタを採用するか否かの判断をユーザに求めることになる。
【００２６】
（第４の実施形態）
本実施形態の画像編集装置の処理動作の一例を、図６のフローチャート用いて説明する。
まず、処理Ｓ１００において、一つ目のチャプタを選択する。次に処理Ｓ１０１で、一つ目のチャプタを採用するかどうかを図１の入力部３を介して得る。一つ目のチャプタを採用しない場合は、処理Ｓ１０２に移り、チャプタの総数が１つかどうかを判定する。この判定の結果、チャプタの総数が１つの場合には、処理を終える。一方、チャプタの総数が１つ以上の場合には、処理Ｓ１０４に移り、チャプタの番号が偶数のチャプタを時系列に全て採用して処理を終える。
【００２７】
処理Ｓ１０１で、一つ目のチャプタを採用する場合は、処理Ｓ１０３に移り、チャプタの番号が奇数のチャプタを時系列に全て採用して処理を終える。以下にこの処理の流れを実際の例を示しながら説明する。
また、ＣＭカットの例を示してきたが、８ｍｍやデジタルカムコーダで撮影し、ハードディスクレコーダに記録したデータにも本実施形態の方式を使用できることも示す。
８ｍｍやデジタルカムコーダでテープに撮影するとほとんどの場合、テープがいっぱいになるまでどんどん追加して撮影していくため、時系列のデータになる。このデータをハードディスクレコーダにダビングする形になるため、ハードディスクレコーダ上にも図７のように、いくつかの日に撮影したものが一つの時系列なデータとなって録画される。
【００２８】
また、８ｍｍやデジタルカムコーダ上でも録画したデータを再生できるため、一度再生して内容を確認した後、次の撮影のために撮影の一番終わりの時点で止めておいてもテープメディアのため、思い切って前のデータに上書きをするように止めないと、図７にもあるように、どうしても無録画部分ができてしまう。また、上書きをするように止めておいて撮影してもつなぎ目が乱れていることもある。また、長く撮影しっぱなしにしておくと、編集してカットしたい部分も出てくる。
【００２９】
そこで、図７（ａ）に示すように、デジタルカムコーダを用いて、「３／２３のハワイ旅行」で撮影された撮影データと、無録画部分と、「４／５の近くの公園」を撮影した撮影データと、「４／６の潮干狩り」を撮影した撮影データと、「４／２７の帰省」先で撮影した撮影データと、「４／２８の帰省２日目」を撮影した撮影データとをハードディスクレコーダに録画して、一つのデータになったものを、本実施形態の手法を用いて編集することを考えてみる。
【００３０】
まず、図７（ｂ）に示すように、ユーザが、編集してカットしたい部分を示すためにマークを打って、いくつかのチャプタに分割する。ここでは、マークが１２個打たれ１３個のチャプタに分割されている。このデータの最初に始点マークが、最後に終点マークが自動的に打たれているとする（説明のためなので、このマークは別に打たれなくても本実施形態の方式には関係ない）。
【００３１】
本実施形態では、一つ目のチャプタを採用するかどうかをユーザに聞くと決めることで、処理を簡略化できる例を、図６のフローチャートを用いて説明する。
図６のフローチャートの処理Ｓ１００で、一つ目のチャプタを選択するとあるため、図７（ｂ）の始点マークからマーク１までの一つ目のチャプタを選択する。次に、処理Ｓ１０１に移り、この一つ目のチャプタを採用するかどうかをユーザに問い合わせる。
【００３２】
図７（ｂ）に示す例では、この一つ目のチャプタはカットしたい部分である。このため、この一つ目のチャプタを採用しないこととし、処理Ｓ１０２に移りチャプタの総数が一つかどうかどうかを判断する。この判断の結果、チャプタの総数が一つであれば処理を終えるが、図７（ｂ）に示す例では、チャプタの総数は１３であるため、処理Ｓ１０４に移り、チャプタの番号が偶数のチャプタをすべて採用して処理を終える。これにより、図７（ｃ）に示すように、不要部分を削除した編集結果が得られる。図７の例とは違って、一つ目のチャプタを採用するとなった場合は、処理Ｓ１０１から処理Ｓ１０３に移り、チャプタの番号が奇数のチャプタをすべて採用して処理を終えることになる。
【００３３】
（第５の実施の形態）
録画データにマークを打ってチャプタに分割する際、すべて編集のために打つマークだけではないことがある。よく見るシーンに簡単に飛びたいためにマークを打つ場合があるからである。この場合に前述した各実施形態を適用すると編集結果がおかしなものになってしまう。
そこで、本実施形態では、見るシーンに簡単に飛びたいためにマーク（見るマークと呼ぶ）を打つ場合には、同じ地点に２つのマークを打ったことにして、長さ０のチャプタを作っておくようにする。
【００３４】
以下、本実施形態の手法を、図８を用いて説明する。
図８において、マーク３−１と、マーク５−１とが、見るマークである。この見るマークは一つで二つのマークとみなし、チャプタに分割する際にはそのマークの地点に長さ０のチャプタができる。図８（ａ）のように、マーク３−１には、第５のチャプタが、マーク５−１には、第９のチャプタができる。
【００３５】
ここで、第４の実施形態などと同じ方法で、第１のチャプタを選択し、それを採用するどうかをユーザに聞く。ここでは第１のチャプタを採用しないため、チャプタの番号が偶数のチャプタをすべて採用して集めると、図８（ｂ）のように、第２のチャプタである「始まりの歌」と、第４−１のチャプタと第４−２のチャプタとからなる「前半本編」と、第６−１のチャプタと第６−２のチャプタとからなる「後半本編」と、第８のチャプタである「終わりの歌」と、第１０のチャプタである「予告」とにより構成される編集結果が得られる。
【００３６】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００３７】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３８】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００３９】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００４０】
【図１】本発明の第１の実施形態を示し、画像編集装置の構成を説明するブロック図である。
【図２】本発明の第１の実施形態を示し、画像編集装置の処理動作の一例を説明するフローチャートである。
【図３】本発明の第１の実施形態を示し、動画編集の状態の一例を示す図である。
【図４】本発明の第２の実施形態を示し、画像編集装置の処理動作の一例を説明するフローチャートである。
【図５】本発明の第３の実施形態を示し、画像編集装置の処理動作の一例を説明するフローチャートである。
【図６】本発明の第４の実施形態を示し、画像編集装置の処理動作の一例を説明するフローチャートである。
【図７】本発明の第４の実施形態を示し、動画編集の状態の一例を示す図である。
【図８】本発明の第５の実施形態を示し、動画編集の状態の一例を示す図である。
【符号の説明】
【００４１】
１  中央処理演算装置
２  出力部
３  入力部
４  画像デコード部
５  画像エンコーダ部
６  データプロセッサ
７  ハードディスク
８  ディスクドライブ
９  Ａ／Ｖ入力部
１０  ＴＶチューナ
１１  主記憶装置
【図１】
2006074247.tif 000003
【図２】
2006074247.tif 000004
【図３】
2006074247.tif 000005
【図４】
2006074247.tif 000006
【図５】
2006074247.tif 000007
【図６】
2006074247.tif 000008
【図７】
2006074247.tif 000009
【図８】
2006074247.tif 000010